(57)【特許請求の範囲】
【請求項１】
入口端と出口端を有する容器形状部、該容器形状部の内部に装着された中空状挿入体の挿入あるいは非挿入状態にあっても気密性を保持可能な中空状挿入体挿入口としてのスリットおよび／または小孔を有する弾性栓体、および前記弾性栓体より下方の容器形状部内に前記弾性栓体とは離間して存在する、容器形状部の内壁面より該内壁面に対して容器形状部の出口端側に傾斜して立設し、その中央部に中空状挿入体の挿入口が形成された中空状挿入体の固定部材を有することを特徴とする中空管形状のバルブ体。
【請求項２】
中空状挿入体の固定部材が、容器形状部の内壁面である請求項１記載の中空管形状のバルブ体。
【請求項３】
中空状挿入体の固定部材が、容器形状部の内壁面が入口端側より出口端側に向かって縮径する円錐形状を形成し、その中央部に中空状挿入体の挿入口を有するものである請求項２に記載の中空管形状のバルブ体。
【請求項４】
中空状挿入体の固定部材が、複数の帯片物が容器形状部の内壁面より該内壁面に対して容器形状部の出口端側に傾斜して立設し、その中央部に中空状挿入体の挿入口が形成されたものである請求項１または２記載の中空管形状のバルブ体。
【請求項５】
入口端と出口端を有する容器形状部、該容器形状部の内部に装着された、中空状挿入体の挿入あるいは非挿入状態にあっても気密性を保持可能な中空状挿入体挿入口としてのスリットおよび／または小孔を有する弾性栓体、および前記弾性栓体より上方の容器形状部内に前記弾性栓体とは離間して存在する、容器形状部の内壁面より該内壁面に対して容器形状部の出口端側に傾斜して立設し、その中央部に中空状挿入体の挿入口が形成された中空状挿入体の固定部材を有することを特徴とする中空管形状のバルブ体。
【請求項６】
前記弾性栓体に中空状挿入体が挿入される際に前記固定部材が反発力（弾発性）を生じる構造である請求項１〜５のいずれかに記載のバルブ体。
【請求項７】
請求項１〜６のいずれかに記載のバルブ体が、カテーテルの中空管状体キャップの頭部側および／または側壁部側に分離可能に接続されているカテーテルのキャップ。
【請求項８】
請求項７のキャップが装着されたものであることを特徴とする栄養カテーテル。
【請求項９】
カテーテル内に清潔状態を保持するための薬剤が充填されたものであることを特徴とする請求項８記載の栄養カテーテル。
【発明の詳細な説明】
【技術分野】
【０００１】
本発明はバルブ体および該バルブ体を有する栄養カテーテルに関する。
【背景技術】
【０００２】
栄養カテーテル、特にＰＥＧ（胃瘻）カテーテルの管理方法としては栄養剤投与時以外ではカテーテル内腔に酢酸水（一般的な食用酢を例えば１０倍の水で希釈したもの）を充填させることによって、胃瘻カテーテルを長時間、例えば次に再使用するまで清潔に保つ方法が行われている。前記酢酸水を栄養カテーテル内腔に充填する操作において、酢酸水をカテーテル内腔に充填した後、酢酸水を流出させないためにカテーテル栄養剤投与口部にキャップをする必要があるが、その際カテーテルを手で折り曲げキンクさせる必要がある。これら操作はそれ自体手間が掛かる上に、長期間に渡り繰り返し行われることによってカテーテル、特にカテーテルの折り曲げ部への負荷が掛かり、カテーテルの内腔の閉塞及び老朽化を促進させ該カテーテルの長期間の使用を困難にしている。また従来は酢を入れた後、再使用する直前にＰＥＧ（胃瘻）カテーテル内に充填されていた酢は体内、特に胃、十二指腸などに入ってしまうが、充填されていた酢を体内に入れることによる安全性は証明されていない。【０００３】
【特許文献１】特開２００２−２８２２４
【特許文献２】特開２００３−１９０２７４
【特許文献３】特開２００２−２００１４５
【特許文献４】特表２００４−５１６１１６
【発明の開示】
【発明が解決しようとする課題】
【０００４】
解決しようとする課題は、前記のように栄養カテーテル例えばＰＥＧ（胃瘻）カテーテルのような栄養カテーテルに薬剤あるいは栄養剤等を充填し該導管にキャップを行う際に、該導管に対して折り曲げ操作を行う必要を無くすること、さらに加えて栄養カテーテル、例えばＰＥＧ（胃瘻）カテーテルは清潔を保つために該カテーテル内に事前に入れていた酢を再使用する際に体内に入れることなく該カテーテルの再使用を可能にするために該カテーテルに装着して使用されるバルブ体、および該バルブ体を有する栄養カテーテルの提供にある。
【課題を解決するための手段】
【０００５】
本発明は、容器形状部、該容器形状部の内部に装着された中空状挿入体の挿入あるいは非挿入状態にあっても気密性を保持可能な中空状挿入体挿入口としてのスリットおよび／または小孔を形成した弾性栓体、および前記弾性栓体より容器形状部の出口側で前記容器形状の内壁面より該内壁面に対して容器形状部の出口側に傾斜して立設した中央部に中空状挿入体の挿入口が形成された中空状挿入体の固定部材を有することを特徴とする頭部側と該頭部側と通液可能な足部側とで構成された中空管形状のバルブ体（例えば図１のバルブ体Ａ）により前記課題を解決することができた。
前記容器形状部は、中空管形状の頭部側および／または側壁部側に形成することができる。【０００６】
前記バルブ体はそのスリットおよび／またはホール部６に図３に示すように液体、例えば栄養剤あるいは薬液の注入あるいは排出部材のニードレスポートの雄型ルアー部５が挿入、保持される場合、前記スリットおよび／またはホール部６の他に前記固定部材２を有することにより液もれがなく挿入した中空状挿入体が安定に保持することができる。【０００７】
前記固定部材は中空状挿入体の固定部材が前記弾性栓体より剛性で、かつ容器形状部の側壁面に対して容器の出口端側に傾斜して立設していることにより、以下の（ａ）〜（ｂ）の効果を奏することができる。
（ａ）固定部材が前記弾性栓体より剛性であることにより、特に栄養剤の注入に使用されるニードレスポートの雄型ルアー部は薬液の注入に使用されるに雄型ルアー部に比較して大型であるので前記弾性栓体だけではその保持固定が困難である。しかしながら、前記バルブは前記固定部材を設けることにより該雄型ルアー部の保持固定が容易となる。この固定部材は合成樹脂で形成される容器形状部と一体あるいは別体に形成されたものであってもよい。
（ｂ）固定部材が容器形状部の側壁面に対して容器の出口側に傾斜して立設して設けられることにより、中空状挿入体、例えば大型のニードレスポートの雄型ルアー部でも容易あるいは円滑に固定部材の挿入口に挿入することができる。【０００８】
特に前記固定部材としては、中空状挿入体がその挿入口に挿入する際に固定部材に撓が生じ、それにより生じた固定部材の反発力（弾発性）を利用して中空状挿入体を固定できる構造のものが、中空状挿入体をより容易に挿入口に挿入することができるだけでなく該挿入された中空状挿入体をより強固に固定保持することができるので好ましい。前記のような撓が生じる固定部材２の構造としては、挿入口を頂部に有する逆円錐形状のもので厚さを薄肉化して構成されたもの、あるいは挿入口を形成するように複数の帯片物を立設して構成したもの等が挙げられる。【０００９】
前記中空状挿入体の固定部材の変形例として、前記弾性栓体より容器の入口端側に固定部材として存在し、かつ該固定部材と弾性栓体の間の側壁に開口部を有することを特徴とするものが挙げられる（図４参照）。本態様の固定部材も前記容器形状部内に設けた固定部材と同様な構成および機能を有するものが好ましいが、本態様の固定部材は容器形状部内に設ける固定部材とは異なり目視可能で中空状挿入体をより容易に挿入口に挿入することができるので、前記容器形状部内に設ける固定部材のように容器の側壁面に対して出口側に傾斜して設けられる必要はなく、例えば水平形状のものであってもよい。また、本態様のバルブ体は前記のように固定部材と弾性栓体の間の側壁に開口部を有するので、該バルブ体の使用前および／または使用後における洗浄等による清浄化操作を容易に行うことができる。【００１０】
前記バルブ体の変形例として、容器形状部内に形成した固定部材の代わりに容器形状の内壁面が中空状挿入体の挿入口を有する入口側より出口側に向かって縮径し、中央に中空状挿入体が挿入される挿入口を有する円錐形状面を容器形状の内壁面と一体もしくは別体に形成したものが挙げられる（例えば図７と８）。
前記バルブ体の変形例として、前記固定部材が容器形状部の入口側に形成されている場合（例えば図５の場合）、容器形状部の内部は通路形状のものであってもよい（例えば図９）。【００１１】
前記各バルブ体は中空管状体キャップの頭部側および／または側壁側に分離可能、かつ通液可能に接続されてキャップとして使用することができる（例えば図１、１０，１１）。この場合にバルブ体は中空管状体キャップの頭部側および／または側壁部に螺合あるいは嵌合などによって分離可能に接続することによりバルブ体の足部を長く形成したものに比較して足部内とバルブ体部内の清浄化操作を容易に行うことができる。また、前記各バルブ体の足部は該足部に接合される部材例えばカテーテルとの接合力を強めるための構造、例えばその外周に段状の節を有する竹の子形に形成されていてもよい。【００１２】
前記バルブ体の足部、あるいは該バルブ体を接合した中空管状体キャップ部の足部にはカテーテル、チューブ等の医療用導管、該医療用導管に付属して用いられる混注ポート例えばＹ字型混注ポートあるいはコネクター例えば栄養点滴セットのコネクター等が装着される。前記中空管状体キャップあるいは中空管状体キャップ部の足部に接続される医療用導管の一例としては栄養カテーテルが挙げられる。このバルブ体に接続される栄養カテーテルとはカテーテル部分のみならず、例えば上述の混注ポート、コネクター、さらにはバルーン、バンパー等を装着あるいは形成したカテーテルも含むものである。なお、本明細書においては、上流側とは例えば栄養点滴セットを装着した栄養カテーテルにおいては栄養点滴セット側を指し、また下流側とは該栄養カテーテルが挿入、あるいは設置される人体側をさす。【００１３】
前記栄養カテーテルとしては、例えば経鼻（経口）栄養カテーテル、ＥＤチューブ、胃瘻カテーテル、経胃瘻腸瘻カテーテルなどが挙げられる。なお、胃瘻カテーテルには胃内留置具がバンパータイプのものとバルーンタイプのもの、栄養点滴セットとの接続部がチューブタイプのものとボタンタイプのものが含まれる。また、栄養カテーテルに栄養点滴セット、薬剤混注シリンジ（または注入器）、空気注入シリンジ（または注入器）、洗浄用シリンジ（または注入器）等を装着するための雌型コネクターとしては、該栄養カテーテルの上流側末端部位に装着あるいは形成された厚生省医薬発第８８８号（平成１２年８月３１日）に適合した１２５±２５／１０００テーパーを有するものが挙げられる。また、種類によっては国際標準規格ＩＳＯ５９４−１及びＩＳＯ５９４−２に適合した６／１００テーパーを有するものが含まれる。【００１４】
前記栄養カテーテルの混注ポートとしては、例えば栄養剤ポートとバルーンポートの２個のポートよりなるＹ字管が挙げられる。また、バルーン型とバンパー型の混注ポートとしてはそれぞれ２ポートと１ポートがあるが、それらに薬剤混注ポートを加えた３ポートと２ポートのものにも適用でき、本発明で採用できる混注ポートの種類は特に限定されない。前記混注ポートの各分岐接続口には例えば前記雌型コネクターの場合と同様に栄養点滴セット、薬剤混注シリンジ（または注入器）、空気注入シリンジ（または注入器）、洗浄用シリンジ（または注入器）、バルーン拡張用シリンジ等が接続されるが、前記混注ポートの各分岐接続口に接続される栄養点滴セットあるいはシリンジ（または注入器）の接続部としては、前記栄養カテーテルの雌型コネクターと同様のテーパーを有するものが挙げられる。【００１５】
前記本発明の混注バルブ部としては、酢酸水の注入に使用するタイプ以外の中空状挿入体、例えば１２５±２５／１０００テーパー以外の中空状挿入体の挿入は困難（または、嵌合不十分）で、特に６／１００テーパーの中空状挿入体とは上手く嵌合しないことが誤接続防止の観点から好ましい。また、前記混注バルブ部に挿入される中空状挿入体は、該混注バルブ部に挿入可能で注液機能を有する中空体であれば特にその種類は限定されないが、例えば厚生省医薬発第８８８号（平成１２年８月３１日）に適合した先端部の直径６．０±０．５ｍｍ、長さ１５ｍｍ以上、１２５±２５／１０００テーパーを有する注入器が挙げられる。【００１６】
以下、本発明のキャップの使用例を実施の態様として示す。
実施態様１
１．実施態様１
図１のキャップＢの足部４側にバルーン型胃瘻カテーテル１３のＹ字型混注ポート１２が嵌合して連結されたもの（図１２）。
２．実施態様２
図１１のキャップＢの足部４側にバルーン型胃瘻カテーテル１３のＹ字型混注ポート１２を嵌合し、前記キャップＢの頭部側３に蓋２０付のコネクター１６を装着したもの（図１３）。【００１７】
３．実施態様３
図１のキャップＢの足部４側に栄養カテーテル（経鼻胃管栄養カテーテル）１７の雌型コネクター１８が嵌合して連結されたもの（図１４）。
４．実施態様４
図１１のキャップＢの足部４側に栄養カテーテル（経鼻胃管栄養カテーテル）１７の雌型コネクター１８が嵌合し、前記キャップの頭部側に蓋２０を有するコネクター１６が装着された栄養カテーテル（経鼻胃管栄養カテーテル）（図１５）。【００１８】
５．実施態様５
図１のキャップＢの足部４側に栄養カテーテル（経鼻胃管栄養カテーテル）１７の延長チューブ２１の雌型コネクター１８Ａを装着したもの（図１６）。
６．実施態様６
図１１のキャップＢの足部４側に栄養カテーテル（経鼻胃管栄養カテーテル）の延長チューブ２１の雌型コネクター１８Ａを装着したもの（図１７）。【００１９】
７．実施態様７
図１のキャップＢの足部４側にＥＤチューブ２３の雌型コネクター１８Ｂを装着したもの（図１８）。
８．実施態様８
図１１のキャップＢの足部４側にＥＤチューブ２３の雌型コネクター１８Ｂを装着したもの（図１９）。【００２０】
９．実施態様９
バルーン型胃瘻カテーテル１３に連結したＹ字型混注ポート１２の側面に設けた図１のバルブ体Ａが接続したキャップあるいはバルブ体Ａの接続部に、図１のバルブ体Ａが接続したキャップあるいはバルブ体Ａを装着し、かつ前記混注ポートＹ字型混注ポート１２の頭部側に蓋２０を有するコネクター１６が装着されたバルーン型胃瘻カテーテル（図２０）。
１０．実施態様１０
バンパー型胃瘻カテーテル２５に連結したＹ字型混注ポート１２の側面に設けた図１のキャップあるいはバルブ体Ａの接続部に、図１のキャップあるいはバルブ体Ａを装着し、かつ前記混注ポートＹ字型混注ポート１２の頭部側に蓋２０を有するコネクター１６が装着されたバンパー型胃瘻カテーテル（図２１）。【００２１】
１１．実施態様１１
経鼻胃管栄養カテーテル１７の雌型コネクター１８部材の側面に設けた図１のバルブ体Ａが接続したキャップあるいはバルブ体Ａの接続部に、図１のバルブ体Ａが接続したキャップあるいはバルブ体Ａを装着した経鼻胃管栄養カテーテル（図２２）。
１２．実施態様１２
ＥＤチューブ２３の雌型コネクター１８Ｂの側面に設けた図１のバルブ体Ａが接続したキャップあるいはバルブ体Ａの接続部に、図１のバルブ体Ａが接続したキャップあるいはバルブ体Ａを装着したＥＤチューブ（図２３）。【００２２】
１３．実施態様１３
ＰＥＧ用ボタン型カテーテルの栄養剤ポートと接続する接続部（体外固定板）１４を有するＰＥＧ（胃瘻）用ボタン型バルーン型バンバーに接続する延長チューブ２５の雌型コネクター１８Ｃへ図１のキャップＢを装着した医療用延長チューブ（図２４）。
１４．実施態様１４
雄型コネクター２８を有する栄養カテーテルの延長チューブ２７に図１に示すバルブ体Ａが接続したもの（図２５）。【００２３】
１５．実施態様１５
図２６に示す栄養容器２９、点滴筒３０、クランプ３２および栄養カテーテルに接続する雄型コネクター３４、および前記各部材を連結するチューブ３１を有する栄養点滴セットの栄養容器２９を除いて、該部分に図２４に示すように前記図１のバルブ体Ａが接続したキャップＢを接続した栄養点滴セット（図２７）。
【図面の簡単な説明】
【００２４】
【図１】中空管状キャップにバルブ体Ａを装着した説明図である。
【図２】バルブ体Ａ２の説明図である。
【図３】雄型ルアー部を固定保持板に保持した説明図である。
【図４】図１のバルブ体の変形例の説明図である。
【図５】図２のバルブ体の変形例の説明図である。
【００２５】
【図６】バルブ体Ａ１に雄型ルアー部を保持した構造の説明図である。
【図７】中空管状キャップに固定部材が容器の内壁面が円錐状面を形成したバルブ体を装着した説明図である。
【図８】容器形状部の内壁面が円錐状面を形成したバルブ体の説明図である。
【図９】容器状の内壁面が円錐状面を形成したバルブ体の別態様の説明図である。
【図１０】中空管状のキャップにバルブ体Ａを装着した説明図である。
【図１１】中空管状のキャップの頭部および側壁部にバルブ体Ａを装着した説明図である。
【図１２】図１のキャップＢにバルーン型胃瘻カテーテル１３のＹ字型混注ポート１２を装着した説明図である。
【図１３】図１１のキャップＢにバルーン型胃瘻カテーテル１３のＹ字型混注ポート１２を装着した説明図である。
【００２６】
【図１４】栄養カテーテル（経鼻胃管栄養カテーテル）１７の雌型コネクター１８へ図１のキャップＢを装着した説明図である。
【図１５】栄養カテーテル（経鼻胃管栄養カテーテル）１７の雌型コネクター１８へ図１１のキャップＢを装着した説明図である。
【図１６】栄養カテーテルの延長チューブ２１の雌型コネクター１８Ａへ図１のキャップＢを装着した説明図である。
【図１７】栄養カテーテルの延長チューブ２１の雌型コネクターへ図１１のキャップＢを装着した説明図である。
【００２７】
【図１８】ＥＤチューブ２３の雌型コネクター１８Ｂへ図１のキャップＢを装着した説明図である。
【図１９】ＥＤチューブ２３の雌型コネクターへ図１１のキャップＢを装着した説明図である。
【図２０】バルーン型胃瘻カテーテル１３に連結した混注ポート側面１２へ図１のキャップＢを装着した説明図である。
【図２１】バンパー型胃瘻カテーテル１３１に連結したＹ字型混注ポート側面へ図１のキャップＢを装着した説明図である。
【００２８】
【図２２】経鼻胃管栄養カテーテル１７の雌型コネクター部材１８の側面へ図１のキャップＢを装着した説明図である。
【図２３】ＥＤチューブ２３のコネクター部材１８Ｂの側面への図１のキャップＢを装着した説明図である。
【図２４】ＰＥＧ（胃瘻）用ボタン型バルーン型バンバーに接続する延長チューブ２５雌型コネクター１８Ｃへの図１のキャップＢを装着した説明図である。
【図２５】栄養カテーテルを接続する雄型コネクター２８を有する栄養カテーテルの延長チューブ２７に図１のキャップＢを装着した説明図である。
【図２６】栄養点滴セットの一例を示した説明図である。
【図２７】図２６に示す栄養容器を除いて、該部分に図１のバルブ体Ａを装着したキャップを装着した栄養点滴セットを示した説明図である。
【符号の説明】
【００２９】
Ａ      バルブ体
Ａ１    バルブ体
Ａ２    バルブ体部
Ａ３    バルブ体部
Ｂ      キャップ
Ｃ      弾性栓体
２      中空状挿入部材の固定部
２Ａ    中空状挿入部材の固定部
２Ｂ    中空状挿入部材の固定部
２Ｃ    中空状挿入部材の固定部
２’    円錐形状面の中空状挿入部材の固定部材
２’’  円錐形状面の中空状挿入部材の固定部材
３      キャップの頭部
４      キャップの足部
４Ａ    中空管状体キャップ部
５      雄型ルアー部
【００３０】
６      スリットおよび／またはホール部
７      バルブ体の容器の側壁部
７      バルブ体の容器の側壁部（上部）
７’    バルブ体の容器の側壁部
７Ａ    バルブ体の容器の側壁部
７Ａ’  バルブ体の容器の側壁部（上部）
７Ｂ    バルブ体の容器状部の側壁部
７Ｂ’  バルブ体の容器状部の側壁部（上部）
７Ｃ    バルブ体の容器状部の側壁部
７Ｃ’  バルブ体の容器状部の側壁部（上部）
８      固定部材の中空状挿入部材の挿入口
９      容器状部の入口端
１０    容器状部の出口端
【００３１】
１１    開口部
１２    Ｙ字型混注ポート
１３    バルーン型胃瘻カテーテル
１４    体外固定板
１５    バルーン
１６    雄型コネクター
１７    栄養カテーテル（経鼻胃管栄養カテーテル）
１８    栄養カテーテル（経鼻胃管栄養カテーテル）１７の雌型コネクター
１８Ａ  栄養カテーテル（経鼻胃管栄養カテーテル）１７の延長チューブ２１の雌型コネクター
１８Ｂ  ＥＤチューブ２３の雌型コネクター
１８Ｃ  延長チューブ２５の雌型コネクター
１９    側孔
２０    蓋
２１    栄養カテーテル（経鼻胃管栄養カテーテル）１７の延長チューブ
２２    栄養カテーテルを接続する雄型コネクター
【００３２】
２３    ＥＤチューブ
２４    おもり
２５    ＰＥＧ（胃瘻）用ボタン型バルーン型バンバーに接続する延長チューブ
２６    ＰＥＧ（胃瘻）用ボタン型バルーン型バンバーの蓋
２７    栄養カテーテルの延長チューブ
２８    栄養カテーテルを接続する雄型コネクター
２９    栄養容器
３０    点滴筒
３１    チューブ
３２    クランプ
３３    栄養カテーテルに接続する雄型コネクター
３４    混注バルブ
【発明を実施するための最良の形態】
【００３３】
本発明のバルブ体および該バルブ体が接続したキャップの使用例を示す。
【実施例１】
【００３４】
実施例１として、従来の栄養カテーテルに酢酸水を入れる操作と本発明のバルブ体および該バルブ体が接続したキャップを使用した栄養カテーテルに酢酸水を入れる操作を説明する。
従来例
（１）ニードレスシリンジ内に栄養カテーテルおよび栄養点滴セットの内径、長さ等を考慮して適当量の酢酸水を充填する。（２）栄養点滴セットを装着する栄養カテーテルのＹ字型混注ポートの栄養剤供給ポート部分にキャップを装着し、前記ポート部分とは別のポート部分、例えば薬剤混注ポート部分に前記１のシリンジより前記適当量の酢酸水を注入する。（３）酢酸水を注入後、前記注入した酢酸水がカテーテル外に流出しないように前記Ｙ字型混注ポートの下流側近傍を手でキンクした状態で前記シリンジを前記Ｙ字型混注ポートから取り外し、キンクした状態を保持したまま前記シリンジを取り外したポートにキャップを装着し、その後キンクした状態を解除し、前記カテーテルを再使用する。【００３５】
実施例１
図１２に基づいて説明する。
（１）雄型ルアー部を有するニードレスシリンジ内に栄養カテーテルの内径、長さ等を考慮して適当量の酢酸水を充填する。（２）バルーン型胃瘻カテーテル１３に結合した栄養点滴セット（不図示）を装着するＹ字型混注ポート１２に前記図１のバルブＡを接続したキャップＢを接続した。（３）該キャップＢの弾性栓部Ｃのスリットおよび／またはホール部６に前記シリンジの雄型ルアー部を挿入し、該シリンジ内の前記適当量の酢酸水を栄養カテーテル内に注入する。酢酸水を注入後、前記シリンジを取り外すと前記混注バルブは「閉」状態となるので、前記カテーテル内に注入した酢酸水は圧力の関係でカテーテル内の酢酸水はカテーテル外へ流出しない。前記従来例と実施例の比較から理解できるように、本発明の混注バルブ付きキャップを使用することにより、キャップを装着したままで、かつキンクした状態を形成することなく栄養カテーテル、例えば胃瘻カテーテル内に酢酸水を充填することが可能となったので、これらカテーテルの管理の手間、およびキンクした状態を形成することに伴うカテーテルの負荷が解消される。【００３６】
また、本発明のバルブ体を接続したキャップあるいはバルブ体を装着した前記栄養カテーテルは、前記従来例のように、その再使用に際して該カテーテル内に収納された酢酸水を体内、例えば胃および／または十二指腸内等に排出するのではなく、前記キャップＢのバルブ体のスリットおよび／またはホール６にニードレスシリンジの雄型ルアー部を挿入し、該シリンジにより前記栄養カテーテル内に充填した酢酸水を取出しが可能であるので、前記酢酸水を体内に排出しなくても済む。  このように栄養カテーテル内に充填した酢酸水を再使用に際して胃および／または十二指腸内に排出しなくてもよいので、人体に悪影響を与えることがない。なお、本実施例では栄養カテーテルの清潔状態を保持すために酢酸水を使用しているが、栄養カテーテル内を清潔に保持できるものであれば、酢酸水に限らず他の薬剤であっても使用することが可能である。また、栄養カテーテル内に前記酢酸水を注入に使用する雄型ルアー部は通常大容量化し、サイズも大型化し前記栓部材のみではその保持が不安定であるが、本実施例で使用するバルブ体Ａは前記図１に示すように栓部材に加えて前記ニードレスシリンジの雄型ルアー部の保持固定部材を有するので、該雄型ルアー部を強固に保持することができる。
【実施例２】
【００３７】
本発明の別態様として、前記実施例１のように栄養カテーテルではなく、該栄養カテーテルに装着される栄養点滴セットに本願発明のキャップを使用する例を示す。
図２３に示す栄養点滴セットを使用後、栄養剤が入った容器２９を外し、そこに前記図１のバルブ体Ａが接続したキャップを接続し、前記バルブ体Ａから経腸栄養用誤接続防止機構を有する１２５±２５／１０００テーパーの注入器を使用して酢酸水を入れて栄養カテーテルおよび栄養点滴セットあるいは栄養カテーテルに酢酸水を充填する。前記のような酢酸水を内部に充填した状態で次の経管栄養まで保持することで、栄養セットを再使用する。
【産業上の利用可能性】
【００３８】
栄養カテーテル、特にＰＥＧ（胃瘻）カテーテルの管理方法として採用されている酢酸水を栄養カテーテル内腔に充填する管理方法において、その酢酸水をカテーテル内腔に充填する際に必要とされる手間が掛かる上にカテーテルの折り曲げ部への負荷を掛け該カテーテル自体の老朽化を促進させるカテーテルを手で折り曲げキンクさせてキャップをしている操作を不必要とすることができる。また、前記栄養カテーテル内腔に充填させた酢酸水は該栄養カテーテルの再使用に際してキャップのバルブ体を介して該カテーテル内の酢シリンジで吸い取ることができるので、数時間カテーテル内に放置した酢を体内に入れることによる体への影響を心配することがなくなった。
【図１】
0004930057.tif 000002
【図２】
0004930057.tif 000003
【図３】
0004930057.tif 000004
【図４】
0004930057.tif 000005
【図５】
0004930057.tif 000006
【図６】
0004930057.tif 000007
【図７】
0004930057.tif 000008
【図８】
0004930057.tif 000009
【図９】
0004930057.tif 000010
【図１０】
0004930057.tif 000011
【図１１】
0004930057.tif 000012
【図１２】
0004930057.tif 000013
【図１３】
0004930057.tif 000014
【図１５】
0004930057.tif 000015
【図１６】
0004930057.tif 000016
【図１７】
0004930057.tif 000017
【図１８】
0004930057.tif 000018
【図１９】
0004930057.tif 000019
【図２０】
0004930057.tif 000020
【図２１】
0004930057.tif 000021
【図２２】
0004930057.tif 000022
【図２３】
0004930057.tif 000023
【図２４】
0004930057.tif 000024
【図２５】
0004930057.tif 000025
【図２６】
0004930057.tif 000026
【図２７】
0004930057.tif 000027
【図１４】
0004930057.tif 000028